(57)【要約】【課題】光軸方向におけるレンズの移動量を確保しても、小型化を図ることが可能なレンズ駆動機構を提供すること。【解決手段】レンズ４を光軸方向へ駆動するレンズ駆動機構１は、レンズ４を保持する膜状の高分子体７と、光軸方向を軸方向とする筒状に形成され高分子体７を支持する支持部材８とを備えている。このレンズ駆動機構１では、高分子体７に接触するように負電極９が配置されるとともに、支持部材８の内周面８ａに正電極１０が配置され、正電極１０と負電極９との間に電圧が印加されると、高分子体７が正電極１０に沿って光軸方向に変形して、レンズ４が光軸方向へ移動する。【選択図】図１
2010191048.tif 000002
【特許請求の範囲】
【請求項１】
レンズを光軸方向へ駆動するレンズ駆動機構において、
前記レンズを保持する膜状の高分子体と、前記光軸方向を軸方向とする筒状に形成され前記高分子体を支持する支持部材とを備え、
前記高分子体に接触するように、負電極が配置されるとともに、前記支持部材の内周面に、正電極が配置され、
前記正電極と前記負電極との間に電圧が印加されると、前記高分子体が少なくとも前記正電極に沿って前記光軸方向に変形して、前記レンズが前記光軸方向へ移動することを特徴とするレンズ駆動機構。
【請求項２】
前記高分子体は、略環状に形成されるとともに、前記高分子体の外周側部分が前記支持部材に固定され、
前記レンズは、前記高分子体の内周側部分に固定され、
前記光軸方向から見たときに、前記レンズの外周端と前記支持部材の内周面との間には、隙間が形成され、
前記高分子体の、前記レンズの外周端と前記支持部材の内周面との隙間に配置される部分は、前記正電極に沿って変形する変形部となっていることを特徴とする請求項１記載のレンズ駆動機構。
【請求項３】
前記支持部材は、前記光軸方向に分割可能な第１支持部材と第２支持部材とを備え、
前記高分子体の外周側部分と前記負電極とは、前記第１支持部材と前記第２支持部材との間に配置され、
前記高分子体と前記負電極とは、前記光軸方向で接触していることを特徴とする請求項２記載のレンズ駆動機構。
【請求項４】
前記正電極は、前記高分子体に接触するように、前記支持部材の内周面に配置されていることを特徴とする請求項１から３のいずれかに記載のレンズ駆動機構。
【請求項５】
前記正電極として、第１正電極と第２正電極との２個の電極を備え、
前記第１正電極は、前記光軸方向における前記高分子体の一方側に配置され、前記第２正電極は、前記光軸方向における前記高分子体の他方側に配置され、
前記第１正電極と前記負電極との間に電圧が印加されると、前記高分子体が少なくとも前記第１正電極に沿って前記光軸方向に変形して、前記レンズが前記光軸方向の一方側へ移動し、
前記第２正電極と前記負電極との間に電圧が印加されると、前記高分子体が少なくとも前記第２正電極に沿って前記光軸方向に変形して、前記レンズが前記光軸方向の他方側へ移動することを特徴とする請求項１から４のいずれかに記載のレンズ駆動機構。
【発明の詳細な説明】
【技術分野】
【０００１】
本発明は、レンズを光軸方向へ駆動するレンズ駆動機構に関する。
【背景技術】
【０００２】
従来、レンズの焦点を合わせるための焦点調整装置として、高分子層と、高分子層の下面に形成される正電極と、高分子層の上面に形成される負電極とから構成されるアクチュエータを備える焦点調整装置が知られている（たとえば、特許文献１参照）。この特許文献１に記載の焦点調整装置では、レンズを保持するレンズホルダと、レンズホルダを支持するホルダ支持基板との間にアクチュエータが配置されている。また、この焦点調整装置では、円環状に形成される正電極の外周端が、円環状に形成される負電極の外周端よりも径方向外側に突出している。
【０００３】
特許文献１に記載の焦点調整装置では、正電極と負電極との間に電圧が印加されると、高分子層の下端側が正電極に沿って径方向の外側に向かって広がり、高分子層の厚みが薄くなる。高分子層の厚みが薄くなると、レンズホルダとともにレンズが光軸方向に移動する。すなわち、この焦点調整装置では、高分子層の厚みを変えることで、レンズを光軸方向に移動させている。
【先行技術文献】
【特許文献】
【０００４】
【特許文献１】特開２００６−３０９１１２号公報
【発明の概要】
【発明が解決しようとする課題】
【０００５】
しかしながら、特許文献１に記載の焦点調整装置では、高分子層の厚みを変えることでレンズを光軸方向に移動させているため、レンズの移動量を確保しようとした場合、高分子層の厚みを厚くする必要がある。したがって、この焦点調整装置では、レンズの移動量を確保しようとすると、光軸方向に装置が大型化するおそれがある。また、この焦点調整装置では、レンズの移動量を確保しようとした場合、高分子層の下端側を径方向の外側に向かって大きく広げる必要があるため、正電極の外径を大きくする必要がある。したがって、この焦点調整装置では、レンズの移動量を確保しようとすると、径方向に装置が大型化するおそれがある。
【０００６】
そこで、本発明の課題は、光軸方向におけるレンズの移動量を確保しても、小型化を図ることが可能なレンズ駆動機構を提供することにある。
【課題を解決するための手段】
【０００７】
上記の課題を解決するため、本発明は、レンズを光軸方向へ駆動するレンズ駆動機構において、レンズを保持する膜状の高分子体と、光軸方向を軸方向とする筒状に形成され高分子体を支持する支持部材とを備え、高分子体に接触するように、負電極が配置されるとともに、支持部材の内周面に、正電極が配置され、正電極と負電極との間に電圧が印加されると、高分子体が少なくとも正電極に沿って光軸方向に変形して、レンズが光軸方向へ移動することを特徴とする。
【０００８】
本発明のレンズ駆動機構では、筒状に形成される支持部材の内周面に、正電極が配置され、正電極と負電極との間に電圧が印加されると、高分子体が正電極に沿って光軸方向に変形して、レンズが光軸方向へ移動する。そのため、光軸方向における高分子体の厚みを厚くしなくても、正電極に沿って高分子体を変形させて、光軸方向におけるレンズの移動量を確保することが可能になる。したがって、光軸方向において、レンズ駆動機構を小型化することが可能になる。また、本発明では、高分子体を光軸方向に直交する方向へ大きく変形させなくても、レンズが光軸方向へ移動する。したがって、レンズの移動量を確保しても、光軸方向に直交する方向でレンズ駆動機構を小型化することが可能になる。その結果、本発明では、光軸方向におけるレンズの移動量を確保しても、レンズ駆動機構を小型化することが可能になる。
【０００９】
本発明において、たとえば、高分子体は、略環状に形成されるとともに、高分子体の外周側部分が支持部材に固定され、レンズは、高分子体の内周側部分に固定され、光軸方向から見たときに、レンズの外周端と支持部材の内周面との間には、隙間が形成され、高分子体の、レンズの外周端と支持部材の内周面との隙間に配置される部分は、正電極に沿って変形する変形部となっている。この場合には、レンズが高分子体に固定されるため、たとえば、レンズを保持するレンズホルダが高分子体に固定される場合と比較して、レンズ駆動機構をより小型化することが可能になる。
【００１０】
本発明において、支持部材は、光軸方向に分割可能な第１支持部材と第２支持部材とを備え、高分子体の外周側部分と負電極とは、第１支持部材と第２支持部材との間に配置され、高分子体と負電極とは、光軸方向で接触していることが好ましい。このように構成すると、膜状の高分子体と負電極との接触面積を大きくすることが可能になる。したがって、正電極と負電極との間への電圧の印加が開始された後、短時間で、より多くの電子を高分子体に移動させて、より早く、高分子体を正電極に沿って変形させることが可能になる。その結果、光軸方向へ移動するレンズの応答性を向上させることが可能になる。
【００１１】
本発明において、正電極は、高分子体に接触するように、支持部材の内周面に配置されていることが好ましい。このように構成すると、正電極と負電極との間への電圧の印加が開始された後、短時間で、高分子体を正電極に沿って変形させることが可能になる。したがって、光軸方向へ移動するレンズの応答性を向上させることが可能になる。
【００１２】
本発明において、レンズ駆動機構は、正電極として、第１正電極と第２正電極との２個の電極を備え、第１正電極は、光軸方向における高分子体の一方側に配置され、第２正電極は、光軸方向における高分子体の他方側に配置され、第１正電極と負電極との間に電圧が印加されると、高分子体が少なくとも第１正電極に沿って光軸方向に変形して、レンズが光軸方向の一方側へ移動し、第２正電極と負電極との間に電圧が印加されると、高分子体が少なくとも第２正電極に沿って光軸方向に変形して、レンズが光軸方向の他方側へ移動することが好ましい。このように構成すると、高分子体を光軸方向の両側に向かって移動させることができ、光軸方向におけるレンズの移動量を大きくすることが可能になる。
【発明の効果】
【００１３】
以上のように、本発明では、光軸方向におけるレンズの移動量を確保しても、レンズ駆動機構を小型化することが可能になる。
【図面の簡単な説明】
【００１４】
【図１】本発明の実施の形態１にかかるレンズ駆動機構が搭載される撮像装置の縦断面図である。
【図２】図１のＥ−Ｅ断面における撮像装置の横断面図である。
【図３】図１に示すレンズ駆動機構の動作を説明するための撮像装置の縦断面図である。
【図４】本発明の実施の形態２にかかるレンズ駆動機構が搭載される撮像装置の縦断面図である。
【図５】図４に示すレンズ駆動機構の動作を説明するための撮像装置の縦断面図である。
【図６】本発明の実施の形態２にかかるレンズ駆動機構の変形例を説明するための撮像装置の縦断面図である。
【図７】本発明の他の実施の形態にかかる正電極の形状を説明するための撮像装置の縦断面図である。
【発明を実施するための形態】
【００１５】
以下、本発明の実施の形態を図面に基づいて説明する。
【００１６】
［実施の形態１］
（レンズ駆動機構の構成）
図１は、本発明の実施の形態１にかかるレンズ駆動機構１が搭載される撮像装置２の縦断面図である。図２は、図１のＥ−Ｅ断面における撮像装置２の横断面図である。図３は、図１に示すレンズ駆動機構１の動作を説明するための撮像装置２の縦断面図である。なお、以下の説明では、図１の上側を「上」側とし、図１の下側を「下」側とする。
【００１７】
本形態のレンズ駆動機構１は、携帯電話用のカメラ、小型のビデオカメラあるいは監視カメラ等の比較的小型の撮像装置２に搭載されて使用される。撮像装置２は、たとえば、図１に示すように、レンズ駆動機構１に加え、２枚のレンズ３、４と、撮像素子５と、撮像素子５が実装される基板６とを備えている。撮像素子５は、たとえば、ＣＣＤやＣＭＯＳ等のイメージセンサである。
【００１８】
レンズ駆動機構１は、レンズ４を光軸Ｌの方向（光軸方向）へ駆動するためのものであり、図１に示すように、レンズ４を保持する高分子体７と、高分子体７を支持する支持部材８とを備えている。また、このレンズ駆動機構１は、高分子体７に接触するように配置される負電極９と、支持部材８の内周面８ａに配置される正電極１０とを備えている。負電極９と正電極１０とは、図示を省略する電源に接続されている。
【００１９】
支持部材８は、光軸方向から見たときの形状が略円形状となる内周面８ａを有する略筒状に形成されている。たとえば、支持部材８は、図２に示すように、光軸方向を軸方向とする略円筒状に形成されている。この支持部材８は、光軸方向に分割可能な第１支持部材１１と第２支持部材１２とから構成されている。本形態では、第１支持部材１１が上側に配置され、第２支持部材１２が下側に配置されている。
【００２０】
第１支持部材１１および第２支持部材１２は、たとえば、樹脂で形成されるとともに、略円筒状に形成されている。第１支持部材１１の上端には、たとえば、レンズ固定部１１ａが形成されており、レンズ固定部１１ａの下面にレンズ３が固定されている。また、第２支持部材１２の下端には、撮像素子５が実装された基板６が固定されており、撮像素子５は、第２支持部材１２の下端側の内周に配置されている。
【００２１】
高分子体７は、ポリ塩化ビニルと、可塑剤であるフタル酸ジ−ｎ−ブチルとがたとえば１：９の割合で混合されたゲル状の高分子材料で形成されている。また、高分子体７は、光軸方向に薄くなった膜状に形成されている。本形態の高分子体７は、非常に薄くなっており、たとえば、高分子体７の厚さは、１ｍｍ以下となっている。また、高分子体７は、略環状に形成されている。たとえば、高分子体７は、その内径が支持部材８の内径よりも小さく、かつ、その外径が支持部材８の外径とほぼ等しい円環状に形成されている。
【００２２】
高分子体７の外周側は、支持部材８に固定されている。具体的には、高分子体７の外周側は、第１支持部材１１と第２支持部材１２との間に挟まれた状態で支持部材８に固定されている。高分子体７の中心には、レンズ４が固定されている。すなわち、レンズ４は、高分子体７の内周側部分に固定されている。レンズ４の径は、支持部材８の内周面８ａの径よりも小さくなっており、光軸方向から見たときに、支持部材８の内周面８ａとレンズ４の外周端との間には隙間Ｓが形成されている。本形態では、高分子体７の、隙間Ｓに配置される部分が、後述のように、正電極１０に沿って変形する変形部７ａとなっている。
【００２３】
なお、高分子体７を外部環境から保護するため、高分子体７の表面は、たとえば、ポリウレタン、ポリパラキシリレン樹脂（パリレン）等の伸縮性のある薄い膜で覆われていても良い。また、ポリ塩化ビニルとフタル酸ジ−ｎ−ブチルの割合は、高分子体７に要求される性能に応じて適宜変更することが可能である。
【００２４】
負電極９は、導電性材料で形成されている。この負電極９は、光軸方向に薄くなった膜状に形成されている。また、負電極９は、略環状に形成されている。たとえば、負電極９は、その内径が支持部材８の内径とほぼ等しい円環状に形成されている。本形態では、負電極９は、第１支持部材１１と第２支持部材１２との間に配置されている。たとえば、負電極９は、第２支持部材１２の上端面に形成された円環状の凹部１２ａの中に配置（または形成）されている。また、高分子体７の外周側部分の下面と負電極９の上面とが接触するように、負電極９は、第１支持部材１１と第２支持部材１２との間に配置されている。すなわち、本形態では、高分子体７と負電極９とは光軸方向で接触している。
【００２５】
正電極１０は、導電性材料で形成されている。この正電極１０は、光軸方向を軸方向とする略筒状に形成されている。たとえば、正電極１０は、その内径が支持部材８の内径とほぼ等しい円筒状に形成されている。本形態では、第１支持部材１１の下端側の内周面（すなわち、支持部材８の内周面８ａ）に正電極１０が配置されている。たとえば、正電極１０は、第１支持部材１１の下端側の内周面８ａに形成された円環状の凹部１１ｂの中に配置（または形成）されている。また、本形態では、第１支持部材１１の下端と正電極１０の下端とがほぼ一致するように、正電極１０が凹部１１ｂの中に配置されており、正電極１０の下端と高分子体７の上面とが接触している。
【００２６】
なお、本形態では、高分子体７によって、負電極９と正電極１０との短絡が防止されているが、負電極９と正電極１０との短絡を確実に防止するため、正電極１０の下端と高分子体７の上面との間に絶縁性の薄いシートを配置しても良い。また、正電極１０の下端と高分子体７の上面とが接触しないように、正電極１０を配置しても良い。
【００２７】
以上のように構成されたレンズ駆動機構１では、正電極１０と負電極９との間に電圧が印加されていない状態では、図１に示すように、高分子体７は、平面状になっている。この状態で、正電極１０と負電極９との間に電圧が印加されると、負電極９から高分子体７に電子が移動して、高分子体７が正電極１０に引き寄せられる。具体的には、高分子体７の変形部７ａが正電極１０に引き寄せられて、図３に示すように、変形部７ａが正電極１０に沿って光軸方向に変形する。変形部７ａが正電極１０に沿って光軸方向に変形すると、高分子体７に固定されたレンズ４は、光軸方向へ移動する。具体的には、レンズ４は、上側へ移動する。
【００２８】
なお、本形態では、正電極１０と負電極９との間に電圧が印加された際に、高分子体７の、レンズ４が固定される部分（具体的には、変形部７ａよりも径方向内側の、レンズ４の下面が接触している部分）は、ほとんど変形しない。ただし、正電極１０と負電極９との間に電圧が印加された際に、高分子体７の、レンズ４の下面が接触している部分は、径方向の外側に広がるように若干、変形しても良い。
【００２９】
（本形態の主な効果）
以上説明したように、本形態では、支持部材８の内周面８ａに正電極１０が配置され、正電極１０と負電極９との間に電圧が印加されると、高分子体７の変形部７ａが正電極１０に沿って光軸方向に変形して、レンズ４が光軸方向へ移動する。そのため、光軸方向における高分子体７の厚みを薄くしても、正電極１０に沿って高分子体７を変形させて、光軸方向におけるレンズ４の移動量を確保することが可能になる。したがって、光軸方向において、レンズ駆動機構１を小型化することが可能になる。また、高分子体７を径方向へ大きく変形させなくても、レンズ４が光軸方向へ移動する。したがって、レンズ４の移動量を確保しても、径方向でレンズ駆動機構１を小型化することが可能になる。その結果、本形態では、光軸方向におけるレンズ４の移動量を確保しても、レンズ駆動機構１を小型化することが可能になる。
【００３０】
特に本形態では、レンズ４が高分子体７に直接、固定されているため、たとえば、レンズ４を保持するレンズホルダが高分子体７に固定される場合と比較して、レンズ駆動機構１をより小型化することが可能になる。
【００３１】
また、上述した特許文献１に記載の焦点調整装置では、高分子層の上面と下面との平行度が低いと、高分子層が径方向の外側に広がって、レンズが光軸方向に移動する際に、光軸に対するレンズの傾きが発生したり、光軸に対するレンズの傾きが変動しやすくなる。そのため、高分子層の加工精度を高めないと、安定したレンズの駆動が困難である。これに対して、本形態では、正電極１０の精度によって、光軸Ｌに対するレンズ４の傾きを抑制することができるため、また、高い精度で正電極１０を形成することは比較的容易であるため、特許文献１に記載の焦点調整装置と比較して、レンズ４の安定した駆動が可能になる。
【００３２】
本形態では、高分子体７の外周側部分と負電極９とが、第１支持部材１１と第２支持部材１２との間に配置され、高分子体７と負電極９とが光軸方向で接触している。そのため、高分子体７と負電極９との接触面積を大きくすることができ、正電極１０と負電極９との間への電圧の印加が開始された後、短時間で、より多くの電子を高分子体７へ移動させることができる。したがって、正電極１０と負電極９との間への電圧の印加が開始された後、より早く、高分子体７を正電極１０に沿って変形させることが可能になる。その結果、光軸方向へ移動するレンズ４の応答性を向上させることが可能になる。
【００３３】
特に本形態では、高分子体７に接触するように、正電極１０が配置されているため、正電極１０と負電極９との間への電圧の印加が開始された後、短時間で、高分子体７が正電極１０に引き寄せられる。したがって、正電極１０と負電極９との間への電圧の印加が開始された後、より早く、高分子体７を正電極１０に沿って変形させることが可能になる。したがって、光軸方向へ移動するレンズ４の応答性をより向上させることが可能になる。
【００３４】
本形態では、レンズ駆動機構１は、高分子体７の変形を利用して、レンズ４を移動させている。そのため、レンズ４の駆動時に異音や騒音が発生しない。したがって、本形態のレンズ駆動機構１を、静音化の要求の高い監視カメラや小型のビデオカメラ等の撮像装置２に使用することが可能になる。
【００３５】
［実施の形態２］
図４は、本発明の実施の形態２にかかるレンズ駆動機構２１が搭載される撮像装置２２の縦断面図である。図５は、図４に示すレンズ駆動機構２１の動作を説明するための撮像装置２２の縦断面図である。図６は、本発明の実施の形態２にかかるレンズ駆動機構２１の変形例を説明するための撮像装置２２の縦断面図である。
【００３６】
実施の形態１のレンズ駆動機構１では、第１支持部材１１の内周面８ａに１個の正電極１０が配置されている。これに対して、実施の形態２のレンズ駆動機構２１では、第１支持部材１１の内周面８ａに加え、第２支持部材１２の内周面８ａにも正電極３０が配置されており、この点が実施の形態１のレンズ駆動機構１と実施の形態２のレンズ駆動機構２１との主な相違点である。したがって、以下では、この相違点を中心に、実施の形態２のレンズ駆動機構２１の構成を説明し、実施の形態１のレンズ駆動機構１と同一の構成についての説明は省略または簡略化する。また、図４〜図６では、実施の形態１の構成と同様の構成には、同一の符号を付している。
【００３７】
本形態のレンズ駆動機構２１は、実施の形態１のレンズ駆動機構１と同様に、携帯電話用のカメラ、小型のビデオカメラあるいは監視カメラ等の比較的小型の撮像装置２２に搭載されて使用される。このレンズ駆動機構２１は、レンズ駆動機構１と同様に、高分子体７と、支持部材８と、負電極９と、正電極１０とを備えている。
【００３８】
また、レンズ駆動機構２１は、上述のように、第２支持部材１２の内周面８ａに配置される正電極３０を備えている。すなわち、レンズ駆動機構２１は、第１正電極としての正電極１０と、第２正電極としての正電極３０との２個の正電極を備えている。正電極３０は、電源（図示省略）に接続されている。本形態では、正電極１０と負電極９との間、および、正電極３０と負電極９との間に個別に電圧を印加することが可能になっている。
【００３９】
正電極３０は、導電性材料で形成されるとともに、光軸方向を軸方向とする略筒状に形成されている。たとえば、正電極３０は、その内径が支持部材８の内径とほぼ等しい円筒状に形成されている。本形態では、第２支持部材１２の上端側の内周面（すなわち、支持部材８の内周面８ａ）に正電極３０が配置されている。たとえば、正電極３０は、第２支持部材１２の凹部１２ａよりも下方の内周面８ａに形成された円環状の凹部１２ｂの中に配置（または形成）されている。凹部１２ｂは、凹部１２ａの底面と繋がらないように（すなわち、凹部１２ａの底面と凹部１２ｂの上端面との間に、第２支持部材１２の一部が配置されるように）形成されている。そのため、凹部１２ａに配置される負電極９と、凹部１２ｂに配置される正電極３０との間には、第２支持部材１２の一部が配置されており、負電極９と正電極３０とは、接触していない。
【００４０】
以上のように構成されたレンズ駆動機構２１では、正電極１０と負電極９との間、および、正電極３０と負電極９との間に電圧が印加されていない状態では、図４に示すように、高分子体７は、平面状になっている。この状態で、正電極１０と負電極９との間に電圧が印加されると、負電極９から高分子体７に電子が移動して、実施の形態１と同様に、高分子体７が正電極１０に引き寄せられる。すなわち、高分子体７の変形部７ａが正電極１０に引き寄せられて、変形部７ａが正電極１０に沿って光軸方向に変形する（図３参照）。変形部７ａが正電極１０に沿って光軸方向に変形すると、高分子体７に固定されたレンズ４は、光軸方向へ移動する。具体的には、レンズ４は、上側へ移動する。
【００４１】
一方、正電極３０と負電極９との間に電圧が印加されると、負電極９から高分子体７に電子が移動して、高分子体７が正電極３０に引き寄せられる。すなわち、高分子体７の変形部７ａが正電極３０に引き寄せられて、図５に示すように、変形部７ａが正電極３０に沿って光軸方向に変形する。変形部７ａが正電極３０に沿って光軸方向に変形すると、高分子体７に固定されたレンズ４は、光軸方向へ移動する。具体的には、レンズ４は、下側へ移動する。
【００４２】
以上説明したように、本形態では、実施の形態１とほぼ同様の効果を得ることができる。また、本形態では、正電極１０が高分子体７の上方（すなわち、第１支持部材１１の内周面８ａ）に配置され、正電極３０が高分子体７の下方（すなわち、第２支持部材１２の内周面８ａ）に配置されている。そのため、上述のように、正電極１０と負電極９との間に電圧が印加されると、高分子体７が正電極１０に沿って光軸方向に変形して、レンズ４が上側へ移動し、正電極３０と負電極９との間に電圧が印加されると、高分子体７が正電極３０に沿って光軸方向に変形して、レンズ４が下側へ移動する。したがって、本形態では、高分子体７を光軸方向の両側に向かって移動させて、光軸方向におけるレンズ４の移動量を大きくすることができる。
【００４３】
なお、実施の形態２では、図４に示すように、負電極９は、その内径が支持部材８の内径とほぼ等しい円環状に形成され、正電極３０は、負電極９と接触しないように、負電極９の内周側部分の下方に配置されている。この他にもたとえば、図６に示すように、負電極９は、その内径が支持部材８の内径よりも大きい円環状に形成され、正電極３０と負電極９とが接触しないように、正電極３０の上端部分が負電極９の径方向内方に配置されても良い。
【００４４】
この場合には、第２支持部材１２の上端と正電極３０の上端とがほぼ一致するように、正電極３０が凹部１２ｂの中に配置され、正電極３０の上端と高分子体７の下面とが接触していることが好ましい。このように構成すると、レンズ４が上側へ移動する際のレンズ４の応答性と、レンズ４が下側へ移動する際のレンズ４の応答性とを略均等に設定することが可能になる。
【００４５】
［他の実施の形態］
上述した形態では、高分子体７の下面と負電極９の上面とが接触しているが、高分子体７の外周面と負電極９とが接触するように（すなわち、径方向で、高分子体７と負電極９とが接触するように）、負電極９が配置されても良い。
【００４６】
上述した形態では、正電極１０は、円筒状に形成されている。この他にもたとえば、正電極１０は、図７に示すように、径方向の外側に向かって広がる円板状の鍔部１０ａを有する鍔付の円筒状に形成されても良い。この場合には、鍔部１０ａの下面と高分子体７の外周側部分の上面とが接触するように、正電極１０が配置される。
【００４７】
上述した形態では、樹脂で形成された第１支持部材１１の内周面８ａに正電極１０が配置され、樹脂で形成された第２支持部材１２の上端面に負電極９が配置されている。この他にもたとえば、第１支持部材１１自体が導電性材料で形成された正電極であっても良い。また、実施の形態１では、第２支持部材１２自体が導電性材料で形成された負電極であっても良い。
【００４８】
上述した形態では、レンズ４が高分子体７に直接、固定されている。この他にもたとえば、レンズ４がレンズホルダに固定されるとともに、このレンズホルダが高分子体７に固定されても良い。すなわち、高分子体７は、直接、レンズ４を保持しても良いし、レンズホルダ等を介して間接的にレンズ４を保持しても良い。また、上述した形態では、支持部材８は、略円筒状に形成されているが、支持部材８は、四角筒状等の多角筒状に形成されても良いし、楕円筒状に形成されても良い。
【符号の説明】
【００４９】
１、２１  レンズ駆動機構
４  レンズ
７  高分子体
７ａ  変形部
８  支持部材
８ａ  内周面
９  負電極
１０  正電極（第１正電極）
１１  第１支持部材
１２  第２支持部材
３０  正電極（第２正電極）
Ｌ  光軸
Ｓ  隙間
【図１】
2010191048.tif 000003
【図２】
2010191048.tif 000004
【図３】
2010191048.tif 000005
【図４】
2010191048.tif 000006
【図５】
2010191048.tif 000007
【図６】
2010191048.tif 000008
【図７】
2010191048.tif 000009